(57)【要約】      （修正有）【課題】簡単な構造でメンテナンスがし易く、耐用性を備え、軽量で、便利に収納できるフット用健康器具を提供する。【解決手段】フット用健康器具は、床面１１に密着させて配置する底台１０と、一方側の末端を底台に枢着する二つのペダル２０を含み、ペダルの底部には弾性構造３０をそれぞれ連結させる。弾性構造はその一方側の固定端３２をペダルに固定し、もう一方側の可動端３４を滑動ユニット４０に連結する。滑動ユニットは床面に平行する経路に沿ってスライドシフトするよう設計される。ペダル底部に取り付けた弾性構造がペダルを踏んだ時のフィードバック力と弾性回復力を提供する。滑動ユニットは、弾性構造の可動端箇所にキャスター４１と経路板４２により構成され、使用中の安定性と潤滑性を強化する。【選択図】図１
0003178851.tif 000002
【実用新案登録請求の範囲】
【請求項１】
床面に密着させて配置する底台を設け、底台の一端には並んで設置される二つのペダルを枢着し、ペダルの底部にはそれぞれ、ペダルに連結する固定端と床面方向に延伸する可動端を備える弾性構造を連結し、固定端と可動端間の距離は弾性構造の形態に応じて変化し、可動端は予設経路に沿ってスライドシフトすることを特徴とするフット用健康器具。
【請求項２】
前記予設経路は床面に平行であることを特徴とする請求項１に記載のフット用健康器具。
【請求項３】
前記弾性構造は、固定端によってペダルの底部に固定し、曲線デザインの懸吊足を少なくとも設け、これにより、懸吊足の固定されていないもう一つの可動端を床面にフラット状態で密着させることを特徴とする請求項１に記載のフット用健康器具。
【請求項４】
前記固定端は、細長形状をなし、ペダル方向にほぼ平行してペダルに連結し、懸吊足は固定端の一方側から外方向に延伸し、尚且つ下方向の曲線デザインである凹面を形成することを特徴とする請求項３に記載のフット用健康器具。
【請求項５】
前記弾性構造はさらに滑動ユニットを連結し、前記滑動ユニットは可動端に取り付けるキャスターと予設経路を設ける経路板を含み、経路板は底台の末端から外方向に延伸して形成されることを特徴とする請求項１に記載のフット用健康器具。
【請求項６】
フット用健康器具には、床面に密着させて配置する底台を設け、底台の一端には並んで設置される二つのペダルを枢着し、ペダルは、その一方側の末端を底台に枢着し、しかもペダルの底部にそれぞれ連結させる弾性構造には、ペダルに連結する固定端と曲線デザインの懸吊足を設け、これにより、懸吊足の可動端はフラット状態で床面に密着することを特徴とするフット用健康器具。
【請求項７】
前記固定端は細長形状をなし、ペダルにほぼ平行する方向においてペダルと連結し、懸吊足は固定端の一方側から外向きに延伸し、下方向に曲線デザインを描く凹面を形成することを特徴とする請求項６に記載のフット用健康器具。
【請求項８】
前記懸吊足の可動端には滑動ユニットを連結し、滑動ユニットは予設経路に沿ってスライドシフトするよう設計されることを特徴とする請求項６に記載のフット用健康器具。
【請求項９】
前記予設経路は床面に平行することを特徴とする請求項６に記載のフット用健康器具。
【請求項１０】
前記滑動ユニットはキャスターとキャスター下方に設ける経路板を含み、キャスターは弾性構造に可動状態で枢着し、経路板は底台の末端から予設経路に沿って延伸することを特徴とする請求項８に記載のフット用健康器具。
【考案の詳細な説明】
【技術分野】
【０００１】
本考案は、健康器具に関するもので、特に、使用者が室内において脚部や心肺機能の強化訓練を行うために用いるフット用健康器具に係る。
【背景技術】
【０００２】
ある一定の室内空間において脚部の筋肉強化訓練や心肺機能の有酸素運動を行うことができるように、室内においてウォーキングやランニングを模擬的に行わせる各種器具が健康器具でのメイン商品となっている。その内、最もよく見られるのがランニングマシーンである。ランニングマシーンには通常、一組のローラーとローラー上に取り付けられたベルトを含む。ベルトはローラーの上に取り付けられ、使用者が走るための平台を形成する。使用者がベルト上を走る時、ベルトは元来の場所を空回りする動作をする。
【０００３】
しかし、ランニング動作は使用者の脚部や膝の負担が大きいため、開発が進められ、各種の階段登り機やステッパーが出現した。階段登り機やステッパーにはいずれにも二つのペダルが設けられ、そのペダルはモーターシステムに接続する。これにより、模擬的に階段をあがったりウォーキングする両足は足踏みする動作を繰り返す。この種のマシーンは使用者の膝の負担が比較的小さいが、マシーンが非常に大きいため、一般家庭で使用するのは難しい。
【０００４】
そこで、前記問題を解決するために開発されたのが公知の油圧式ステッパーである。この種のステッパーは、二つの油圧シリンダーがステッパーに送る抵抗力及びペダルを元の位置に戻す弾性回復力によるもので、その体積は従来のステッパーより小型で、使用者にとっては受け入れ易いものである。しかし、油圧シリンダーシステムの使用寿命が短いため、長時間使用するとオイル漏れや破損が起きるため、これらの欠点に鑑み、公知のステッパー構造に改善を加える必要性が存在する。
【考案の概要】
【考案が解決しようとする課題】
【０００５】
本考案の主な目的は、構造が簡単でメンテナンスし易く、耐用性を備え、それと同時に、フット用健康器具の全体体積を軽量にし、便利に収納できる大きさを保たせ、使用者の受け入れ度を高めることのできるフット用健康器具を提供することにある。
【課題を解決するための手段】
【０００６】
前述の目的を達成するために、本考案には、床面に密着させて配置する底台を設け、底台の一端には並んで設置される二つのペダルを枢着し、ペダルの底部にはそれぞれ弾性構造を連結する。弾性構造には、ペダルに連結する固定端と床面方向に延伸する可動端を備える。固定端と可動端間の距離は弾性構造の形態に応じて変化し、可動端は予設経路に沿ってスライドシフトする。
【０００７】
一つの実施例において、前記予設経路は床面に平行である。
【０００８】
一つの実施例において、弾性構造は、固定端によってペダルの底部に固定し、曲線デザインの懸吊足を少なくとも設ける。これにより懸吊足は固定されていないもう一つの可動端を床面にフラット状態で密着させる。
【０００９】
一つの実施例において、固定端は、細長形状をなし、ペダル方向にほぼ平行してペダルに連結し、懸吊足は固定端の一方側から外方向に延伸し、下方向の曲線デザインである凹面を形成する。
【００１０】
一つの実施例において、前記弾性構造はさらに滑動ユニットを連結し、前記滑動ユニットは可動端に取り付けるキャスターと予設経路を設ける経路板を含む。経路板は底台の末端から外方向に延伸して形成される。
【００１１】
もう一つの実施例において、本考案のフット用健康器具には、床面に密着させて配置する底台と、一方側の末端を底台に枢着する二つのペダルを含み、ペダルの底部には弾性構造をそれぞれ連結させる。弾性構造には、ペダルに連結する固定端と曲線デザインの懸吊足を備え、これにより、懸吊足の可動端はフラット状態で床面に密着する。
【００１２】
もう一つの実施例において、固定端は細長形状をなし、ペダルにほぼ平行する方向においてペダルと連結する。懸吊足は固定端の一方側から外向きに延伸し、下方向に曲線デザインを描く凹面を形成する。
【００１３】
もう一つの実施例において、懸吊足の可動端には滑動ユニットを連結し、滑動ユニットは予設経路に沿ってスライドシフトするよう設計する。
【００１４】
もう一つの実施例において、予設経路は床面に平行する。
【００１５】
もう一つの実施例において、滑動ユニットはキャスターとキャスター下方に設ける経路板を含む。キャスターは弾性構造に可動状態で枢着し、経路板は底台の末端から予設経路に沿って延伸する。
【００１６】
本考案の特徴は、ペダル底部に取り付けた弾性構造がペダルを踏んだ時のフィードバック力と弾性回復力を提供することにあり、これによって、構造全体はシンプルに保たれ、メンテナンスを簡単にする。しかも、弾性構造の可動端箇所にはキャスターと経路板により構成される滑動ユニットを備えるため、本考案の使用における安定性と潤滑性を強化することができる。
【考案の効果】
【００１７】
本考案のフット用健康器具は、構造が簡単でメンテナンスし易く、耐用性を備え、それと同時に、フット用健康器具の全体体積を軽量にし、便利に収納できる大きさを保たせ、使用者の受け入れ度を高める効果を実現する。
【図面の簡単な説明】
【００１８】
【図１】本考案の立体図である。
【図２】本考案の側面図である。
【図３】滑動ユニット部分の拡大図である。
【図４】第一使用状態図である。
【図５】第二使用状態図である。
【考案を実施するための形態】
【００１９】
本考案の技術内容、構造特徴、達成する目的を詳細に説明するため、以下に実施例を挙げ並びに図面を組み合わせて説明する。
【００２０】
図１及び図２に示した好ましい実施例において、本考案のフット用健康器具は、床面１１に密着させて配置した底台１０を少なくとも含む。この実施例での底台１０には、Ｈ形で水平に配置した骨格１２を設ける。骨格１２のいずれか一端には上向きに延伸する連接端１３を形成する。尚、連接端１３の両側にはペダル２０を可動形態で枢着し、ペダル２０の底部にはそれぞれ弾性構造３０を連結する。
【００２１】
本実施例において、前記弾性構造３０の一端にはペダル２０を組み合わせる固定端３２を設ける。固定端３２は細長形状をなし、ペダル２０の方向にほぼ平行してペダル２０に連結し、これにより、連結の安定度を強化する。前記固定端３２の一方側には外方向に延伸する懸吊足３３を形成し、懸吊足３３には下方向に曲線デザインを描く凹面３５を形成するため、懸吊足３３が固定端３２と連結する一方側はほぼ、固定端３２と接点を形成し、外側に延伸する可動端３４は床面１１にフラット状態で密着し、並びに、床面１１の予設経路５０に平行して往復スライドシフトする。
【００２２】
この実施例において、前記懸吊足３３の機械強度及び弾性回復力を強化するために、懸吊足３３をポリアセタール(polyformaldehyde, POM）とし、懸吊足３３厚を高め、懸吊足３３の靭性を強化する。よって、本考案は更に大きな荷重に耐えられる。しかし、これは本考案を説明するために開示したものであり、懸吊足３３に使用する材料および懸吊足３３の靭性を高める方法を制限するものではない。
【００２３】
前記弾性構造３０を踏んだ時の湾曲変形と力を受けていない時の弾性回復力によって、懸吊足３３の可動端３４と固定端３２間の直線距離は、受ける力の大きさに基づいて変化を起こし、さらに、使用者によって踏まれるペダル２０が往復上下に動作する。
【００２４】
また、前記弾性構造３０が圧力を受けると、可動端３４は床面１１の経路に沿って往復スライドシフトするが、可動端３４のスライドシフト動作をさらに安定させ潤滑にするために、懸吊足３３の可動端３４上に滑動ユニット４０を連結することも可能である。
【００２５】
図３に示すとおり、本実施例では、懸吊足３３の可動端３４にキャスター４１と経路板４２によって構成される滑動ユニット４０を設ける。キャスター４１は可動端３４に可動状態で枢着し、経路板４２はキャスター４１の下方に設置し、底台１０の末端から可動端３４がスライドシフトする予設経路５０に沿って延伸する。可動端３４が予設経路５０に沿ってスライドシフトする時、キャスター４１は前記経路板４２の表面を転がる。この設計により、可動端３４と床面１１間の摩擦力を減少させるだけでなく、床面が平らでないために引き起こされるスライドシフトの不都合現象を排除することができる。
【００２６】
図４及び図５には、本考案を実際に使用する際に両足でペダルを上下に踏んでいる状態を示す。本考案は運動健康器具として、使用者がランニング動作で脚部や膝に負担を生じさせるのを防ぎ、身体を鍛える効果を実現するものである。
【００２７】
前述したとおり、本考案のフット用健康器具は、ペダルの底部に取り付けた弾性構造がペダルを踏んだ時のフィードバック力と弾性回復力を提供することで、構造全体はシンプルに保たれ、メンテナンスを簡単にする。しかも、弾性構造の可動端箇所にはキャスターと経路板により構成される滑動ユニットを備えるため、本考案の使用における安定性と潤滑性を強化する。
【００２８】
以上述べたことは、本考案の実施例にすぎず、本考案の実施の範囲を限定するものではなく、本考案の実用新案登録請求の範囲に基づきなし得る同等の変化と修飾は、いずれも本考案の実用新案登録請求範囲のカバーする範囲内に属するものとする。
【符号の説明】
【００２９】
１０        底台
１１        床面
１２        骨格
１３        連接端
２０        ペダル
３０        弾性構造
３２        固定端
３３        懸吊足
３４        可動端
３５        凹面
４０        滑動ユニット
４１        キャスター
４２        経路板
５０        予設経路
【図１】
0003178851.tif 000003
【図２】
0003178851.tif 000004
【図３】
0003178851.tif 000005
【図４】
0003178851.tif 000006
【図５】
0003178851.tif 000007